【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
単一のキャリアが第１のキャリアタイプまたは第２のキャリアタイプのいずれかであることを示すこと
を備え、
前記単一のキャリア上でリソースを送信することと、前記リソースが、前記第１のキャリアタイプに関連するリソースの第１のセットと、前記第２のキャリアタイプに関連するリソースの第２のセットとを含む、
ユーザ機器（ＵＥ）の動作をリソースの前記第１のセットまたはリソースの前記第２のセットに制限することと
によって特徴付けられる、ワイヤレス通信の方法。
【請求項２】
使用されている実際の帯域幅とは異なる帯域幅を広告することをさらに備える、請求項１に記載の方法。
【請求項３】
前記動作がページングオケージョンを備え、リソースの前記第１のセットがリソースの前記第２のセットから直交する、請求項１に記載の方法。
【請求項４】
ネットワークローディングに少なくとも部分的に基づいてページングオケージョンを定義することをさらに備える、請求項３に記載の方法。
【請求項５】
第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義することをさらに備える、請求項３に記載の方法。
【請求項６】
前記第２のキャリアタイプＵＥが、前記第１のキャリアタイプＵＥと比較してページング監視のために追加のサブフレームを使用する、請求項５に記載の方法。
【請求項７】
新しいページングロケーションにマッピングするための新しいハッシング関数を定義することをさらに備える、請求項３に記載の方法。
【請求項８】
前記示すことが、前記キャリアを前記第２のキャリアタイプとして示すためにマスタ情報ブロック（ＭＩＢ）またはシステム情報ブロック（ＳＩＢ）中で予約済みビットを送信することを備える、請求項１に記載の方法。
【請求項９】
単一のキャリアが第１のキャリアタイプまたは第２のキャリアタイプとして示されていると判断すること
を備え、
前記単一のキャリア上でリソースを受信することと、前記リソースが、前記第１のキャリアタイプに関連するリソースの第１のセットと、前記第２のキャリアタイプに関連するリソースの第２のセットとを含む、
リソースの前記第１のセットまたはリソースの前記第２のセットへの動作の制限を受信することと
によって特徴付けられる、ワイヤレス通信の方法。
【請求項１０】
前記第１のキャリアタイプがレガシーキャリアタイプを備え、前記第２のキャリアタイプが新しいキャリアタイプを備える、請求項１または９に記載の方法。
【請求項１１】
前記キャリアが通信のための周波数帯域である、請求項１または９に記載の方法。
【請求項１２】
前記動作が、リソースの前記第１のセットまたはリソースの前記第２のセットを監視することを備える、請求項１または９に記載の方法。
【請求項１３】
前記リソースがサブフレームまたはサブバンドを備える、請求項１または９に記載の方法。
【請求項１４】
単一のキャリアが第１のキャリアタイプまたは第２のキャリアタイプのいずれかであることを示すための手段
を備え、
前記単一のキャリア上でリソースを送信するための手段と、前記リソースが、前記第１のキャリアタイプに関連するリソースの第１のセットと、前記第２のキャリアタイプに関連するリソースの第２のセットとを含む、
ユーザ機器（ＵＥ）の動作をリソースの前記第１のセットまたはリソースの前記第２のセットに制限するための手段と
によって特徴付けられる、ワイヤレス通信のための装置。
【請求項１５】
単一のキャリアが第１のキャリアタイプまたは第２のキャリアタイプとして示されていると判断するための手段
を備え、
前記単一のキャリア上でリソースを受信するための手段と、前記リソースが、前記第１のキャリアタイプに関連するリソースの第１のセットと、第２のキャリアタイプに関連するリソースの第２のセットとを含む、
リソースの前記第１のセットまたはリソースの前記第２のセットへの動作の制限を受信するための手段と
によって特徴付けられる、ワイヤレス通信のための装置。
【請求項１６】
ワイヤレス通信のためのコンピュータプログラム製品であって、前記コンピュータプログラム製品が、
請求項１乃至１３の方法のうちのいずれか一項を実行するためのプログラムコードを記録した非一時的コンピュータ可読媒体
を備える、コンピュータプログラム製品。
【手続補正２】
【補正対象書類名】明細書
【補正対象項目名】０１１７
【補正方法】変更
【補正の内容】
【０１１７】
[00134]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を備える、ワイヤレス通信の方法。
［Ｃ２］
前記第１のキャリアタイプがレガシーキャリアタイプを備え、前記第２のキャリアタイプが新しいキャリアタイプを備える、Ｃ１に記載の方法。
［Ｃ３］
前記キャリアが通信のための周波数帯域である、Ｃ１に記載の方法。
［Ｃ４］
使用されている実際の帯域幅とは異なる帯域幅を広告することをさらに備える、Ｃ１に記載の方法。
［Ｃ５］
前記動作がページングオケージョンを備え、リソースの前記第１のセットがリソースの前記第２のセットから直交する、Ｃ１に記載の方法。
［Ｃ６］
ネットワークローディングに少なくとも部分的に基づいてページングオケージョンを定義することをさらに備える、Ｃ５に記載の方法。
［Ｃ７］
第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義することをさらに備える、Ｃ５に記載の方法。
［Ｃ８］
前記第２のキャリアタイプＵＥが、前記第１のキャリアタイプＵＥと比較してページング監視のために追加のサブフレームを使用する、Ｃ７に記載の方法。
［Ｃ９］
新しいページングロケーションにマッピングするための新しいハッシング関数を定義することをさらに備える、Ｃ５に記載の方法。
［Ｃ１０］
前記示すことが、前記キャリアを前記第２のキャリアタイプとして示すためにマスタ情報ブロック（ＭＩＢ）またはシステム情報ブロック（ＳＩＢ）中で予約済みビットを送信することを備える、Ｃ１に記載の方法。
［Ｃ１１］
前記動作が、リソースの前記第１のセットまたはリソースの前記第２のセットを監視することを備える、Ｃ１に記載の方法。
［Ｃ１２］
前記リソースがサブフレームまたはサブバンドを備える、Ｃ１に記載の方法。
［Ｃ１３］
キャリア上でリソースを受信することと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断することと、
リソースの前記第１のセットまたはリソースの前記第２のセットへの動作の制限を受信することと
を備える、ワイヤレス通信の方法。
［Ｃ１４］
前記第１のキャリアタイプがレガシーキャリアタイプを備え、前記第２のキャリアタイプが新しいキャリアタイプを備える、Ｃ１３に記載の方法。
［Ｃ１５］
前記キャリアが通信のための周波数帯域である、Ｃ１３に記載の方法。
［Ｃ１６］
前記動作がページングオケージョンを備え、リソースの前記第１のセットがリソースの前記第２のセットから直交する、Ｃ１３に記載の方法。
［Ｃ１７］
前記判断することは、前記キャリアが前記第２のキャリアタイプであることを示すためのマスタ情報ブロック（ＭＩＢ）またはシステム情報ブロック（ＳＩＢ）中の予約済みビットに少なくとも部分的に基づく、Ｃ１３に記載の方法。
［Ｃ１８］
前記動作が、リソースの前記第１のセットまたはリソースの前記第２のセットを監視することを備える、Ｃ１３に記載の方法。
［Ｃ１９］
前記リソースがサブフレームまたはサブバンドを備える、Ｃ１３に記載の方法。
［Ｃ２０］
メモリと、
前記メモリに結合された少なくとも１つのプロセッサと、
を備え、
前記少なくとも１つのプロセッサは、
キャリア上でリソースを送信することと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すことと、
ユーザ機器（ＵＥ）の動作をリソースの前記第１のセットまたはリソースの前記第２のセットに制限することと
を行うように構成される、ワイヤレス通信のための装置。
［Ｃ２１］
前記第１のキャリアタイプがレガシーキャリアタイプを備え、前記第２のキャリアタイプが新しいキャリアタイプを備える、Ｃ２０に記載の装置。
［Ｃ２２］
前記キャリアが通信のための周波数帯域である、Ｃ２０に記載の装置。
［Ｃ２３］
前記少なくとも１つのプロセッサが、使用されている実際の帯域幅とは異なる帯域幅を広告するようにさらに構成された、Ｃ２０に記載の装置。
［Ｃ２４］
前記動作がページングオケージョンを備え、リソースの前記第１のセットがリソースの前記第２のセットから直交する、Ｃ２０に記載の装置。
［Ｃ２５］
前記少なくとも１つのプロセッサが、ネットワークローディングに少なくとも部分的に基づいてページングオケージョンを定義するようにさらに構成された、Ｃ２４に記載の装置。
［Ｃ２６］
前記少なくとも１つのプロセッサが、第１のキャリアタイプＵＥについてページングオケージョンを監視するための少なくとも１つの第１のサブフレームと、第２のキャリアタイプＵＥについてページングオケージョンを監視するための少なくとも１つの第２のサブフレームとを定義するようにさらに構成された、Ｃ２４に記載の装置。
［Ｃ２７］
前記第２のキャリアタイプＵＥが、前記第１のキャリアタイプＵＥと比較してページング監視のために追加のサブフレームを使用する、Ｃ２６に記載の装置。
［Ｃ２８］
前記少なくとも１つのプロセッサが、新しいページングロケーションにマッピングするために新しいハッシング関数を定義するようにさらに構成された、Ｃ２４に記載の装置。
［Ｃ２９］
前記少なくとも１つのプロセッサが、前記キャリアを前記第２のキャリアタイプとして示すためにマスタ情報ブロック（ＭＩＢ）またはシステム情報ブロック（ＳＩＢ）中で予約済みビットを送信することによって示すようにさらに構成された、Ｃ２０に記載の装置。
［Ｃ３０］
前記動作が、リソースの前記第１のセットまたはリソースの前記第２のセットを監視することを備える、Ｃ２０に記載の装置。
［Ｃ３１］
前記リソースがサブフレームまたはサブバンドを備える、Ｃ２０に記載の装置。
［Ｃ３２］
メモリと、
前記メモリに結合された少なくとも１つのプロセッサと、
を備え、
前記少なくとも１つのプロセッサは、
キャリア上でリソースを受信することと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断することと、
リソースの前記第１のセットまたはリソースの前記第２のセットへの動作の制限を受信することと
を行うように構成される、ワイヤレス通信のための装置。
［Ｃ３３］
前記第１のキャリアタイプがレガシーキャリアタイプを備え、前記第２のキャリアタイプが新しいキャリアタイプを備える、Ｃ３２に記載の装置。
［Ｃ３４］
前記キャリアが通信のための周波数帯域である、Ｃ３２に記載の装置。
［Ｃ３５］
前記動作がページングオケージョンを備え、リソースの前記第１のセットがリソースの前記第２のセットから直交する、Ｃ３２に記載の装置。
［Ｃ３６］
前記少なくとも１つのプロセッサは、前記キャリアが前記第２のキャリアタイプであることを示すためのマスタ情報ブロック（ＭＩＢ）またはシステム情報ブロック（ＳＩＢ）中の予約済みビットに少なくとも部分的に基づいて判断するように構成された、Ｃ３２に記載の装置。
［Ｃ３７］
前記動作が、リソースの前記第１のセットまたはリソースの前記第２のセットを監視することを備える、Ｃ３２に記載の装置。
［Ｃ３８］
前記リソースがサブフレームまたはサブバンドを備える、Ｃ３２に記載の装置。
［Ｃ３９］
キャリア上でリソースを送信するための手段と、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すための手段と、
ユーザ機器（ＵＥ）の動作をリソースの前記第１のセットまたはリソースの前記第２のセットに制限するための手段と
を備える、ワイヤレス通信のための装置。
［Ｃ４０］
キャリア上でリソースを受信するための手段と、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断するための手段と、
リソースの前記第１のセットまたはリソースの前記第２のセットへの動作の制限を受信するための手段と
を備える、ワイヤレス通信のための装置。
［Ｃ４１］
ワイヤレス通信のためのコンピュータプログラム製品であって、前記コンピュータプログラム製品が、
プログラムコードを記録した非一時的コンピュータ可読媒体を備え、前記プログラムコードは、
キャリア上でリソースを送信するためのプログラムコードと、前記リソースが、第１のキャリアタイプに関連するリソースの第１のセットと、第２のキャリアタイプに関連するリソースの第２のセットとを含む、
前記キャリアが前記第１のキャリアタイプまたは前記第２のキャリアタイプのいずれかであることを示すためのプログラムコードと、
ユーザ機器（ＵＥ）の動作をリソースの前記第１のセットまたはリソースの前記第２のセットに制限するためのプログラムコードと
を備える、コンピュータプログラム製品。
［Ｃ４２］
ワイヤレス通信のためのコンピュータプログラム製品であって、前記コンピュータプログラム製品が、
プログラムコードを記録した非一時的コンピュータ可読媒体を備え、前記プログラムコードは、
キャリア上でリソースを受信するためのプログラムコードと、前記リソースが、第１のキャリアタイプに関連するリソースの第１のセットと、第２のキャリアタイプに関連するリソースの第２のセットとを含む、
前記キャリアが前記第１のキャリアタイプであるか前記第２のキャリアタイプであるかを判断するためのプログラムコードと、
リソースの前記第１のセットまたはリソースの前記第２のセットへの動作の制限を受信するためのプログラムコードと
を備える、コンピュータプログラム製品。